(57)【要約】【課題】構造を簡素化して組み立てを簡単に行うことができる上、テープを安定的に取り付けることができるテープカッターを提供する。【解決手段】台座１の座面には、２つの挟持構造部２が並設され、当該２つの挟持構造部２間には、収納空間１１が設けられる。２つの挟持構造部２は、搭載部２０をそれぞれ有する。搭載部２０には、挟持体３が挿設される。台座１の座面には、収納空間１１に対応するようにカッター構造部１２が設けられている。挟持体３の内側にはテーパ部３０が形成されている。テーパ部３０の周縁部には、搭載部２０の対応した箇所に係止されるバンク部３１が形成されている。テーパ部３０には、テープを安定させるために用いる少なくとも１つの凹部３０１が設けられている。挟持構造部２の搭載部２０の外側には、カバープレート２１が結合され、挟持体３の外側には軸部３２が形成される。【選択図】図１
0003178902.tif 000002
【実用新案登録請求の範囲】
【請求項１】
台座と、
前記台座の座面に並設される２つの挟持構造部と、
２つの前記挟持構造部間に設けられる収納空間と、
２つの前記挟持構造部のそれぞれに設けられる搭載部と、
前記搭載部に挿設される挟持体と、
前記収納空間に対応するように前記台座の座面に設けられるカッター構造部と、
を備えるテープカッター。
【請求項２】
前記挟持体の内側にはテーパ部が形成されていることを特徴とする請求項１に記載のテープカッター。
【請求項３】
前記テーパ部の周縁部には、前記搭載部の対応した箇所に係止されるバンク部が形成されていることを特徴とする請求項２に記載のテープカッター。
【請求項４】
前記テーパ部には、テープを安定させるために用いる少なくとも１つの凹部が設けられていることを特徴とする請求項２に記載のテープカッター。
【請求項５】
前記挟持構造部の前記搭載部の外側には、カバープレートが結合され、前記挟持体の外側には軸部が形成され、
前記軸部は、弾性部材に貫設されて前記カバープレートに押し付けられることを特徴とする請求項１に記載のテープカッター。
【請求項６】
前記挟持体の周縁部と、前記搭載部の対応した箇所とに、安定体と前記安定体に対応した搭載槽とを含む安定化構造部が設けられ、
前記搭載槽には、前記安定体が取り付けられることを特徴とする請求項１に記載のテープカッター。
【請求項７】
台座と、
前記台座の座面に並設される２つの挟持構造部と、
２つの前記挟持構造部間に設けられる収納空間と、
２つの前記挟持構造部のそれぞれに設けられる搭載部と、
前記搭載部に挿設される挟持体アセンブリと、
前記収納空間に対応するように前記台座の座面に設けられるカッター構造部と、
を備えるテープカッター。
【請求項８】
前記挟持体アセンブリは、スリーブを含み、
前記スリーブは、外側部位にカバープレートが結合され、内側開放端に挟持体が結合され、前記挟持体の外側部位に軸部が設けられ、
前記軸部は、弾性部材に貫設されて前記カバープレートに押し付けられることを特徴とする請求項７に記載のテープカッター。
【請求項９】
前記挟持体の内側には、テーパ部が形成されることを特徴とする請求項８に記載のテープカッター。
【請求項１０】
前記挟持体の周縁部と、前記スリーブの対応した箇所とには、安定体と前記安定体に対応した搭載槽とを含む安定化構造部が設けられ、
前記搭載槽には、前記安定体が取り付けられることを特徴とする請求項８に記載のテープカッター。
【考案の詳細な説明】
【技術分野】
【０００１】
本考案は、テープカッターに関する。
【背景技術】
【０００２】
テープカッターは、テープを使用するときに便利な補助装置であり、従来のテープカッターは台座を含み、巻き軸に巻き付けられたテープを軸体に取り付け、テープを適宜な長さで取り出して、台座に設けた刃により速やかにカットすることができるため便利である。
【０００３】
実際に使用すると分かるように、従来のテープカッターの軸体は、台座の対応した凹溝中に簡単に設置されていることが一般的であるため、軸体が容易に動いて外れやすく、使用が面倒で改善が求められていた。
【先行技術文献】
【特許文献】
【０００４】
【特許文献１】特開２００２−３０７３７３号公報
【考案の概要】
【考案が解決しようとする課題】
【０００５】
本考案の目的は、構造を簡素化して組み立てを簡単に行うことができる上、テープを安定的に取り付けることができるテープカッターを提供することにある。
【課題を解決するための手段】
【０００６】
上記課題を解決するために、台座と、前記台座の座面に並設される２つの挟持構造部と、２つの前記挟持構造部間に設けられる収納空間と、２つの前記挟持構造部のそれぞれに設けられる搭載部と、前記搭載部に挿設される挟持体と、前記収納空間に対応するように前記台座の座面に設けられるカッター構造部と、を備えるテープカッターが提供される。
【０００７】
また、前記挟持体の内側にはテーパ部が形成されていることが好ましい。
【０００８】
また、前記テーパ部の周縁部には、前記搭載部の対応した箇所に係止されるバンク部が形成されていることが好ましい。
【０００９】
また、前記テーパ部には、テープを安定させるために用いる少なくとも１つの凹部が設けられていることが好ましい。
【００１０】
また、前記挟持構造部の前記搭載部の外側には、カバープレートが結合され、前記挟持体の外側には軸部が形成され、前記軸部は、弾性部材に貫設されて前記カバープレートに押し付けられることが好ましい。
【００１１】
また、前記挟持体の周縁部と、前記搭載部の対応した箇所とに、安定体と前記安定体に対応した搭載槽とを含む安定化構造部が設けられ、前記搭載槽には、前記安定体が取り付けられることが好ましい。
【００１２】
上記課題を解決するために、台座と、前記台座の座面に並設される２つの挟持構造部と、前記挟持構造部間に設けられる収納空間と、２つの前記挟持構造部のそれぞれに設けられる搭載部と、前記搭載部に挿設される挟持体アセンブリと、前記収納空間に対応するように前記台座の座面に設けられるカッター構造部と、を備えるテープカッターが提供される。
【００１３】
また、前記挟持体アセンブリは、スリーブを含み、前記スリーブは、外側部位にカバープレートが結合され、内側開放端に挟持体が結合され、前記挟持体の外側部位に軸部が設けられ、前記軸部は、弾性部材に貫設されて前記カバープレートに押し付けられることが好ましい。
【００１４】
また、前記挟持体の内側には、テーパ部が形成されることが好ましい。
【００１５】
また、前記挟持体の周縁部と、前記スリーブの対応した箇所とには、安定体と前記安定体に対応した搭載槽とを含む安定化構造部が設けられ、前記搭載槽には、前記安定体が取り付けられることが好ましい。
【考案の効果】
【００１６】
本考案のテープカッターは、構造を簡素化して組み立てを簡単に行うことができる上、テープを安定的に取り付けることができる。
【図面の簡単な説明】
【００１７】
【図１】本考案の一実施形態に係るテープカッターを示す分解斜視図である。
【図２】本考案の一実施形態に係るテープカッターを示す斜視図である。
【図３】本考案の一実施形態に係るテープカッターを示す断面図である。
【図４】本考案の一実施形態に係るテープカッターを応用するときの状態を示す断面図である。
【図５】本考案の一実施形態に係るテープカッターの安定化構造部を示す分解斜視図である。
【図６】本考案の他の実施形態に係るテープカッターの挟持体アセンブリを示す分解斜視図である。
【図７】本考案の他の実施形態に係るテープカッターを示す断面図である。
【考案を実施するための形態】
【００１８】
（一実施形態）
図１を参照する。図１は、本考案の一実施形態に係るテープカッターを示す分解斜視図である。図１に示すように、本考案の一実施形態に係るテープカッターは、台座１を含む。台座１の座面には、２つの挟持構造部２が並設される。これら２つの挟持構造部２間には、収納空間１１が設けられている。各挟持構造部２は、搭載部２０を有し、外側にカバープレート２１が結合される。搭載部２０には、挟持体３が挿設される。挟持体３の内側にはテーパ部３０が形成されている。このテーパ部３０は、周縁部に形成されたバンク部３１と、外側に形成された軸部３２と、を有する。
【００１９】
２つの挟持体３は、搭載部２０に挿設されると、その周縁部に設けたバンク部３１により搭載部２０の相対部位に係止され、収納空間１１においてテーパ部３０が対峙するよう配置される。
【００２０】
両側部位の軸部３２を弾性部材３３に貫設し、対応したカバープレート２１へ強く押し付ける。
【００２１】
台座１の座面には、収納空間１１に対応するようにカッター構造部１２が設けられている。
【００２２】
図２及び図３を参照する。図２は、本考案の一実施形態に係るテープカッターを示す斜視図である。図３は、本考案の一実施形態に係るテープカッターを示す断面図である。
【００２３】
図４を参照する。図４に示すように、テープ７は、収納空間１１中へ配置される。２つの挟持体３のテーパ部３０は、テープ７の巻軸７１の両側へそれぞれ強く押し付けられ、弾性部材３３の弾性により巻軸７１が保持される。
【００２４】
テーパ部３０には、テープを安定させるために用いる少なくとも１つの凹部３０１が設けられ、テープ７の巻軸７１を対応させて押し付ける。
【００２５】
２つの挟持体３を正確な押圧位置に保持することにより、テープを取り出して力を加えたり、テープを交換する際に位置がずれたり、テープを取り出す際に、テープの回転がスムーズに行われないなどの問題が発生することを防ぐことができる。本実施形態のテープカッターは、安定化構造部４をさらに含む。この安定化構造部４は、安定体４０と、安定体４０に対応した搭載槽４１と、を含む。安定化構造部４は、挟持体３の周縁部と、搭載部２０の対応した箇所とにそれぞれ設けられ、搭載槽４１により安定体４０をガイドして位置規制し、挟持体３の挟持を正確に行う（図５参照）。
【００２６】
（他の実施形態）
図６を参照する。図６は、本考案の他の実施形態に係るテープカッターの一部を示す分解斜視図である。図６に示すように、本考案の他の実施形態に係るテープカッターは、構造が簡素で便利に組み立てることができる。本実施形態のスリーブ５は、外側部位にカバープレート２１が結合され、内側開放端に挟持体３が結合される。挟持体３の外側部位の軸部３２を弾性部材３３に貫設させてカバープレート２１に押し付ける。
【００２７】
上述の構造方式により挟持体アセンブリ６が構成される。
【００２８】
挟持体アセンブリ６は、挟持構造部２に収納された搭載部２０に対応する。
【００２９】
挟持体アセンブリ６は、安定化構造部４を含む。安定化構造部４は、安定体４０と、安定体４０に対応した搭載槽４１と、を含む。安定化構造部４は、挟持体３の周縁部と、スリーブ５に対応した箇所とにそれぞれ設けられ、搭載槽４１により安定体４０をガイドして位置規制を行い、挟持体３を安定させる。
【００３０】
挟持体アセンブリ６は、挟持構造部２の搭載部２０に収容し、テープ７の巻軸７１の両側へ効果的に押し付けてもよい（図７参照）。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１  台座
２  挟持構造部
３  挟持体
４  安定化構造部
５  スリーブ
６  挟持体アセンブリ
７  テープ
１１  収納空間
１２  カッター構造部
２０  搭載部
２１  カバープレート
３０  テーパ部
３１  バンク部
３２  軸部
３３  弾性部材
４０  安定体
４１  搭載槽
７１  巻軸
３０１  凹部
【図１】
0003178902.tif 000003
【図２】
0003178902.tif 000004
【図３】
0003178902.tif 000005
【図４】
0003178902.tif 000006
【図５】
0003178902.tif 000007
【図６】
0003178902.tif 000008
【図７】
0003178902.tif 000009